(57)【要約】【課題】過剰払い出しが行われたり、作動上の負荷が過大になったりすることなく、円滑に遊技球を送り出す。【解決手段】複数の遊技球を取込み可能とした一次側の取込口８１、取込む遊技球を回転方向に整列させて移送する回転移送体８２、移送する遊技球を二次側通路に排出する排出口８３を備え、回転移送体８２による移送路８２２を水平面に対し傾斜させ、この移送路８２２の傾斜方向下方に取込口８１を上方に排出口８３を設け、下方の取込口８１から斜め上方の排出口８３に向け、回転移送体８２の回転方向に倣う円弧に沿って遊技球を揚送する。こうして重力に逆らう適度な搬送抵抗の付与により、遊技球が不用意にはじき飛ばされたり、なだれ現象等によって過剰払出しが行われたりするのを防止した。【選択図】図４４
2006297160.tif 000002
【特許請求の範囲】
【請求項１】
複数の遊技球を取込み可能とした一次側の取込口と、遊技球を円弧状通路から成る移送路に沿って回転方向に整列させて移送する回転移送体と、移送する遊技球を二次側に排出する排出口と、を備え、一次側に貯留する遊技球を二次側に送り出す遊技球の送出装置において、
前記円弧状通路の下方に前記取込口を、この円弧状通路の上方で前記移送路の頂上となる位置に、遊技球の流入部と二次側への出口とを有する前記排出口を設け、
前記回転移送体の回転方向に倣う円弧に沿って下方から上方に向けて遊技球を揚送し、前記頂上を乗り越えて二次側に落下させることにより、遊技球を前記排出口から取り出す構成とし、
さらに、前記移送路の頂上に位置する前記流入部に、前記二次側へ排出されようとする遊技球を検知する上流側検知スイッチを配設する一方、前記排出口の出口には、前記二次側へ排出された遊技球を検知する下流側検知スイッチを配設したことを特徴とする遊技球の送出装置。
【請求項２】
前記移送路を上昇する遊技球の向きを変えて排出口に導く誘導体を設け、この誘導体は、前記排出口の流入部に設けられた受入ガイドと、これに対向する側に設けられた押出ガイドとから成る請求項１記載の遊技球の送出装置。
【請求項３】
前記排出口は、前記取込口を挟んで円周方向一側に設けられた第１の排出口と反対側の円周方向他側に設けられた第２の排出口とからなり、前記回転移送体の回転方向を正逆転切換えすることによって遊技球を前記第１の排出口と前記第２の排出口の何れかに導く請求項１又は２に記載の遊技球の送出装置。
【請求項４】
前記移送路の途中に、前記回転移送体の軸線と平行状に延びる片持ちスプリングの下方の自由端を臨ませ、遊技球１個分の通過を許容する請求項１〜３のいずれか1項に記載の遊技球の送出装置。
【請求項５】
前記片持ちスプリングは導電性材料から成る請求項４記載の遊技球の送出装置。
【請求項６】
前記回転移送体を駆動するモータを収納する筒部を有するモータケースを備え、前記筒部の腹面を前記取込口に臨ませて、遊技球を当該取込口側に導く誘導部を構成したことを特徴とする請求項１〜５のいずれか１項に記載の遊技球の排出装置。
【請求項７】
前記誘導部は、前記モータケースの筒部の左右両側に一体的に張り出す羽根状板部を備えることを特徴とする請求項６記載の遊技球の排出装置。
【発明の詳細な説明】
【技術分野】
【０００１】
本発明は、パチンコ遊技機に代表される弾球遊技機の遊技に用いる遊技球の送出装置、具体的には、一次側に貯留する遊技球を二次側に送り出す遊技球の送出装置に関する。
【背景技術】
【０００２】
パチンコ遊技機では、台間の玉貸機（現金サンド）やカードリーダーユニット（ＣＲサンド）に現金やプリペイドカードを投入すると、遊技機設置設備側すなわち島から上皿に貸玉が払い出される。そして、上皿の遊技球は発射装置から遊技盤に向けて発射され、入賞処理又はアウト球処理を経た後、再び島側に排出される。入賞による賞球は、島から払出装置の球タンクに供給された遊技球を用いて払い出され、上皿が満杯になると、余剰球は下皿に貯留される。
【０００３】
そして、貸玉や賞球の払出装置では、払出指令に基づいて所定個数の遊技球を重力落下を利用して払い出すようにしており、重力方向に沿う上方から下方に向けて遊技球を送り出すようにしている。
【発明の開示】
【発明が解決しようとする課題】
【０００４】
しかし、以上のものでは、重力方向に沿う上方から下方に向けて遊技球を送り出すものであるため、遊技球が不用意にはじき飛ばされたり、なだれ現象等により過剰払い出しが行われたりする恐れがある。
【０００５】
本発明では、過剰払い出しが行われたりすることなく、しかも、作動上の負荷が過大になったりすることもなく、円滑に遊技球を送り出すことができる遊技球の送出装置を提供することを課題とする。
【課題を解決するための手段】
【０００６】
本発明では、複数の遊技球を取込み可能とした一次側の取込口と、遊技球を円弧状通路から成る移送路に沿って回転方向に整列させて移送する回転移送体と、移送する遊技球を二次側に排出する排出口と、を備え、一次側に貯留する遊技球を二次側に送り出す遊技球の送出装置において、前記円弧状通路の下方に前記取込口を、この円弧状通路の上方で前記移送路の頂上となる位置に、遊技球の流入部と二次側への出口とを有する前記排出口を設け、前記回転移送体の回転方向に倣う円弧に沿って下方から上方に向けて遊技球を揚送し、前記頂上を乗り越えて二次側に落下させることにより、遊技球を前記排出口から取り出す構成とし、さらに、前記移送路の頂上に位置する前記流入部に、前記二次側へ排出されようとする遊技球を検知する上流側検知スイッチを配設する一方、前記排出口の出口には、前記二次側へ排出された遊技球を検知する下流側検知スイッチを配設した。すなわち、図９、図１３、図４０、図４４、図４６に示すように、一次側に貯留する遊技球を二次側に送り出す遊技球の送出装置において、複数の遊技球を取込み可能とした一次側の取込口８１、取込む遊技球を回転方向に整列させて移送する回転移送体８２、移送する遊技球を二次側通路に排出する排出口８３を備え、回転移送体８２による移送路８２２の下方に取込口８１を上方に排出口８３をそれぞれ設け、さらに、前記移送路８２２の頂上に位置する前記流入部に、前記二次側へ排出されようとする遊技球を検知する上流側検知スイッチからなる第１の球検出器８５を配設する一方、前記排出口８３の出口には、前記二次側へ排出された遊技球を検知する下流側検知スイッチからなる第２の球検出器８６を配設した。
【０００７】
また、前記移送路を上昇する遊技球の向きを変えて排出口に導く誘導体を設け、この誘導体は、前記排出口の流入部に設けられた受入ガイドと、これに対向する側に設けられた押出ガイドとから成ることにも特徴を有する。
【０００８】
また、前記排出口は、前記取込口を挟んで円周方向一側に設けられた第１の排出口と反対側の円周方向他側に設けられた第２の排出口とからなり、前記回転移送体の回転方向を正逆転切換えすることによって遊技球を前記第１の排出口と前記第２の排出口の何れかに導くようにしたことにも特徴を有する。
【０００９】
さらに、前記移送路の途中に、前記回転移送体の軸線と平行状に延びる片持ちスプリングの下方の自由端を臨ませ、遊技球１個分の通過を許容するようにしたこと、前記片持ちスプリングは導電性材料から成ること、前記回転移送体を駆動するモータを収納する筒部を有するモータケースを備え、前記筒部の腹面を前記取込口に臨ませて、遊技球を当該取込口側に導く誘導部を構成したこと、前記誘導部は、前記モータケースの筒部の左右両側に一体的に張り出す羽根状板部を備えることにも特徴を有する。
【発明の効果】
【００１０】
請求項１記載の発明では、複数の遊技球を取込み可能とした一次側の取込口と、遊技球を円弧状通路から成る移送路に沿って回転方向に整列させて移送する回転移送体と、移送する遊技球を二次側に排出する排出口と、を備え、一次側に貯留する遊技球を二次側に送り出す遊技球の送出装置において、前記円弧状通路の下方に前記取込口を、この円弧状通路の上方で前記移送路の頂上となる位置に、遊技球の流入部と二次側への出口とを有する前記排出口を設け、前記回転移送体の回転方向に倣う円弧に沿って下方から上方に向けて遊技球を揚送し、前記頂上を乗り越えて二次側に落下させることにより、遊技球を前記排出口から取り出す構成とし、さらに、前記移送路の頂上に位置する前記流入部に、前記二次側へ排出されようとする遊技球を検知する上流側検知スイッチを配設する一方、前記排出口の出口には、前記二次側へ排出された遊技球を検知する下流側検知スイッチを配設した。すなわち、図９、図１３、図４０、図４４、図４６に示すように、遊技球は、下方の取込口８１から斜め上方の排出口８３に向け、回転移送体８２の回転方向に倣う円弧に沿って揚送される。これにより、重力に逆らう適度な搬送抵抗の付与により、遊技球が不用意にはじき飛ばされたり、なだれ現象等によって過剰払出しが行われたりすることもなく、しかも、揚送負荷が過大になったり、揚送途中で球噛みや球詰り等が生じたりすることもなく、円滑な強制搬送が行える。
【００１１】
そして、同図４４等に示すように、斜め上方に向く移送路８２２に沿い、重力に逆らう適度な搬送抵抗を付与しながらの移送構成と相まち、規制通路を通る１個１個の遊技球を球検出器８５で検出するから、検出ミスすることなく良好かつ確実な検出が行え、検出精度を高めることができる。
【００１２】
しかも、同図４４等に示すように、２つの球検出器８５，８６により、遊技球の検出精度をより一層向上できると共に、セキュリティを万全にできる。
【発明を実施するための最良の形態】
【００１３】
図１において、１００は封入球式のパチンコ遊技機から成る弾球遊技機の本体であり、これに隣接させて現金対応の玉貸機すなわち現金サンド２００を設けている。紙幣投入口２０１又は硬貨投入口２０２から現金を投入することにより、遊技機設置設備側すなわち島３００から所定個数の貸球が供給ノズル２０３、投入口６、投入通路６４を経て受皿４に払い出される。例えば５００円なら１２５個の貸球が払い出される。図１５ステップ００１参照。投入口６は現行機の上皿に相当するため、遊技者への違和感を低減できると共に、遊技機設置設備側との適合性も良い。
【００１４】
図１の現金サンド２００に代え、プリペイドカードの挿入口をもつＣＲサンドを用いてもよく、この場合、カードを挿入すると、遊技機本体１００の操作部１１０の第１表示部１１１にカードの残度数がデジタル表示され、貸出ボタン１２０を一回押すごとに５００円分の１２５個の球が島３００から遊技機本体１００内の払出装置３、払出通路３４を経て受皿４に払い出される。返却ボタン１３０を押すと、ＣＲサンドからカードが返却される。以上、図１５ステップ００２〜００６参照。
【００１５】
図１に示すように、操作部１１０の自動供給ボタン１５０又は手動供給ボタン１６０を押すと、受皿４の奥行方向内方に設ける排出装置５が作動し、受皿４の球が島３００に強制排出される。この排出する球数に等しい数だけクレジット度数が増加し、操作部１１０の第３表示部１１３に表示される。自動供給の場合、クレジットが１０以下であると、最大２５０になるまで受皿４からの排出球を自動的にカウントし、クレジットを増加させる。手動供給の場合、手動供給ボタン１６０を押している間だけ或は押した回数に所定の倍数を乗じた数だけ排出球をカウントし、同じく最大２５０の範囲内でクレジットを増加させる。尚、自動供給でクレジットが０になり、排出装置５を３秒間駆動しても球のカウントがなくクレジットが上がらない場合、手動供給に切り替えている。以上、図１５ステップ００７〜０１３参照。
【００１６】
図１の遊技機本体１００内に封入した封入遊技球は総数２５個であるが、クレジット度数に応じたのべ個数の封入遊技球を用いて遊技をすることができる。すなわち、クレジット度数が例えば２００なら２００回封入遊技球を発射できる。発射ハンドル１０の操作によりソレノイド式の発射装置１から球を打ち出し、フロントガラス２Ａの内方に設ける遊技盤２に球を流下させる。そして、入賞球或はアウト球となった遊技球を再び発射装置１に循環させる。このように封入遊技球が循環する閉回路Ｎは、払出装置３、受皿４、排出装置５を経路中に含む開回路Ｏ側とは独立している。
【００１７】
図１中、符号１１２はトラブル発生時のエラー符号を表示する第２表示部、１４０はクレジット度数の残分に見合う数の球を受皿４に払い出す清算ボタンである。１２１，１３１，１４１，１５１，１６１は各ボタン１２０，１３０，１４０，１５０，１６０の操作時にボタン部分の点燈と同期させて点燈させる補助表示燈である。９は灰皿、４０は受皿４の球を遊技者の手元側のドル箱に入れる押ボタン式の球抜操作具である。
【００１８】
同図１中、１７０は遊技盤２の前部を覆う扉式のフロントカバーであり、１７１は枠上部飾りランプ、１７２は払出ランプ、１７３はトラブルランプ、１７４〜１７８は左右対称の各種演出用ランプ、１７９は演出用ステレオスピーカである。１８１，１８２は遊技機本体１００を固定枠１８０に対して扉状に開く上下のヒンジ部、１８３はドア鍵の正回しで遊技機本体１００の戸開きを許し逆回しでフロントカバー１７０の戸開きを許す鍵穴部である。
【００１９】
図２に示すように、遊技機本体１００は、平面的に見て中央が前方に張り出すように丸みを帯びている。払出装置３の球タンク３０はその上部開口を図示しない島側の遊技球供給口に臨ませている。ところで、島は、複数台の遊技機を横並びに設置する現行主流の集合島の他、１台の遊技機を単独で設置する単独島をも含む。
【００２０】
図３に示すように、投入口６はジョウゴ形を呈し、下部出口から延びる投入通路６４を払出通路３４の下流部途中に合流させている。従って、受皿４に接続される遊技球通路の出口は一箇所のみとなっている。このように投入通路６４と払出通路３４とが合流して受皿４に接続されるため、受皿４への通路接続部が一箇所のみにまとめられ、構造を簡易にできる。
【００２１】
図４に示すように、操作部１１０は遊技者の見下ろし視線に対応させて後傾姿勢にしている。丸みを帯びた部分に設けられる各補助表示燈１２１〜１６１はサイドからもその点燈状況が判るようになっている。
【００２２】
図５に示すように、遊技機本体１００の裏側には、可変図柄表示装置等の主に遊技盤周りの制御対象をコントロールする主基板１９１、操作部１１０，払出装置３，排出装置５等をコントロールする枠基板１９２、これら基板上のＣＰＵやＲＯＭの改ざんを防止する施錠機構付き基板保護装置１９３、主基板に付属するエラー表示基板１９４、盤面端子板１９５、枠中継端子板１９６、これに具備する電源スイッチ１９７、ＣＲサンドとの接続基板１９８などの各種部品を備える。
【００２３】
図５中、７は、払出通路３４の上流側を、投入通路６４と合流する下流側通路３４３と、島３００に開放する回収通路７０側とに切り替えて連通させる切替機構である。３４１は払出通路３４の上流側パイプ部、３４２はパイプ部３４１と切替機構７を結ぶコイル状のフレキシブル通路である。１１は、内蔵する発射装置１に封入球を送る球送り装置１２、これに封入球を導く上流通路１３等を備える封入球の球循環装置である。
【００２４】
図６に示すように、遊技盤２には、発射装置１から打ち出す封入遊技球を盤面に導くガイドレール２０、液晶画面上に３列の数字・記号や各種演出用絵柄を可変表示させる可変図柄表示装置２１、その可変表示を起動する始動入賞口２２、同じく電動チューリップから成る補助始動入賞口２３、可変図柄表示装置２１上で数字等が３列全て揃う大当たりが発生した時に開放するアタッカ２４、補助始動入賞口２３を開成させる抽選を起動する左右ゲート２５、上下左右の一般入賞口２６、盤面サイドランプ２７、６個の風車２８、アウト口２９を設けている。
【００２５】
図６の可変図柄表示装置２１は、１０インチの液晶大画面２１０をもち、透明樹脂板から成る遊技盤２の裏面から図柄を透かして見せるようにしている。図示は省略したが、遊技盤２上には、液晶大画面２１０の部分も含めて、多数の釘が打たれている。
【００２６】
図７に示すように、遊技盤２の裏には、各入賞口２２，２３，２６及びアタッカ２４への入賞球を集める集合樋２２０を設けている。一般入賞口２６に入賞した球は、各流下樋２２１〜２２４を通って集合樋２２０に開放される。流下スパンの長い両端の流下樋２２１，２２４には、球の流下速度を減じる千鳥配置の突起２２５を設けている。始動入賞口２２，２３に入賞した球は、流下樋２２６，２２７から始動口スイッチｂ１を通過した後、集合樋２２０に開放される。アタッカ２４に入賞した球はテンカウントスイッチｂ２を通過した後、流下樋２２８から集合樋２２０に開放される。
【００２７】
図７の集合樋２２０に集められた球は、入賞球検知スイッチｂ３を通過した後、球循環装置１１の盤面排出球通路１４に落ちる。アウト口２９の球は流下樋２２９からそのまま盤面排出球通路１４に落ちる。
【００２８】
図７のテンカウントスイッチｂ２は、アタッカ２４への入賞球が１０個になるとアタッカ２４を閉じる機能をもつと共に、アタッカ２４の最大開放時間３０秒のうち、開放当初の５秒間、開放後１５秒〜２０秒の５秒間に設定したＶ入賞タイミングに１球でも入賞があると、アタッカ２４を最大１６回の繰り返しを限度に再開放させる機能をもつ。尚、アタッカ２４及び一般入賞口２６への入賞球１個当たりの賞球数は１３個、始動入賞口２２，２３への入賞球１個当たりの賞球数は５個に設定している。
【００２９】
図８は、球循環装置１１の詳細を示す。ベース１１Ａには、発射ソレノイド１Ｍをもつ発射装置１、前後一対の発射球検知スイッチ１５、遊技盤面に達せずに戻ってくる球を検知する戻り球検知スイッチ１６、球搬送モータ１７Ｍ及び搬送スクリュー１７Ｓをもつ球搬送装置１７を設けている。ベース１１Ａに展開機構１１Ｂを介して折り畳み及び展開自在としたカバー１１Ｃには、球送りソレノイド１２Ｍ及びスライダ１２Ｓをもつ球送り装置１２、上流通路１３、上流通路１３から球送り装置１２に至る球を検知する球通路スイッチ１８、盤面排出球通路１４、これに連通する下流通路１９を設けている。
【００３０】
図８において、球の流れは以下の通りである。
(1)上流通路１３内の球は、球送り装置１２に流れる。
(2)球送りソレノイド１２Ｍの動作により、発射装置１に送られる。
(3)発射ソレノイド１Ｍの動作により、発射球検知スイッチ１５，１５を通過して盤面へ発射される。
(4)盤面排出球通路１４に落ちたアウト球又は入賞球はＡから下流通路１９を通ってＢへ流れる。
(5)Ｂへ流れた球は、球搬送装置１７のスクリュー下端位置Ｃに導かれ、球搬送モータ１７Ｍの動作によりスクリュー上端位置Ｄまで上昇する。
(6)Ｄまで上昇した球は、Ｅから上流通路１３に戻る。
(7)盤面に達しない戻り球は、戻り球検知スイッチ１６を通過して、ＦからＧを通り、盤面排出球と合流してＢへ流れる。
【００３１】
図８の球通路スイッチ１８が一定時間球を検知できなかった場合、循環経路内での球詰りの発生とみなし、エラー状態としている。球送り装置１２及び発射装置１は発射ハンドル１０の回動操作により駆動され、発射球検知スイッチ１５で発射球が検知され且つ戻り球検知スイッチ１６で戻り球が非検知の場合、クレジット度数をカウントダウンするようにしている（図１５ステップ０１４〜０１９参照）。クレジットが０になると、封入球の発射装置１、球送り装置１２、球搬送装置１７が停止し、遊技が終了する（同ステップ０２０）。
【００３２】
図８の球送り装置１２の詳細な動作説明は以下の通りである。
（１）上流通路１３を流れてきた球は、スライダ１２Ｓにより静止する。
（２）球送りソレノイド１２Ｍの吸引動作により、スライダ１２Ｓが上昇する。
（３）スライダ１２Ｓの上昇により、球がスライダ１２Ｓの内部に入る。
（４）球送りソレノイド１２Ｍへの通電を停止することにより、スライダ１２Ｓは下降し通常状態に戻り、内部の球が排出される。
【００３３】
図８の球搬送装置１７の詳細な動作説明は以下の通りである。
［１］下流通路１９を通った球は、球搬送装置１７の搬送スクリュー１７Ｓの下端部Ｃに導かれる。
［２］スクリュー１７Ｓの回転により球は上昇する。
［３］出口Ｄまで上昇した球はスクリュー１７Ｓの歯によって押し出され、上流通路１３に流れる。
尚、発射装置１の作動中、常にスクリュー１７Ｓは回転している。
【００３４】
図８中、１１Ｄはカバー１１Ｃを折り畳み状態でベース１１Ａに係止させる止具の受入穴、１１Ｅは発射装置１、球送り装置１２、球搬送装置１７等の信号を中継する端子板である。
【００３５】
図９は、払出装置３の詳細を示す。球タンク３０の上流側底部裏面には、球切れ検知スイッチ３１を設けている。球タンク３０の下流側端部には、排出装置５と同じ構造のロータリー式球送出装置８をその軸線を傾けて取付けている。球送出装置８は、タンク底部の爪３２に嵌め込むガイド体８１０によりタンク３０と連通する遊技球の取込口８１、取り込む遊技球をモータ８２１の駆動により円弧状通路８２２に沿って移送する溝８２０をもつ回転ディスク８２を具備する。
【００３６】
図１０に示すように、球送出装置８は、その円弧状通路８２２の一側端部に、回転ディスク８２の反時計方向に沿う左回転（正転）に伴い、球タンク３０から移送する遊技球を払出通路３４に排出する排出口８３を具備する。円弧状通路８２２の他側端部には、回転ディスク８２の時計方向に沿う右回転（逆転）に伴い、排出口８３の上流に滞留する遊技球を排出する返却口８４をも具備するが、払出装置３では逆転はさせないため、返却口８４は未使用である。
【００３７】
図１１に示すように、球送出装置８の排出口８３の前後には、遊技球の通過を検知する上流側検知スイッチ８５と下流側検知スイッチ８６とを設けている。
【００３８】
図９〜１１に示すように、払出装置３の動作は以下の通りである。
(1)島３００より球タンク３０へ供給された遊技球は、タンク３０の勾配により取込口８１へと流下する。
(2)取込口８１に流下した遊技球は、回転ディスク８２の溝８２０又はその上方に貯えられる。
(3)遊技球を賞球として払い出す際、回転ディスク８２が左回転（正転）するようにモータ８２１に電流が供給される。
(4)回転ディスク８２の溝８２０に入り込んだ遊技球は、ディスク８２の回転に伴い移動し、上流側検知スイッチ８５の上部を通過する。（上流側検知スイッチ８５により所定の遊技球数がカウントされると、モータ８２１を停止する。）
(5)上流側検知スイッチ８５を通過した遊技球は、排出口８３へと落下する。この途中には、下流側検知スイッチ８６が設けられていて、この２つのスイッチによりカウントされた遊技球が払い出した賞球数となる。こうして、封入遊技球の入賞があると、所定個数の賞球が受皿４に払い出される（図１５ステップ０２１，０２２参照）。
(6)球タンク３０の球切れ検知スイッチ３１により、タンク３０の貯球が検知されなくなると賞球の払い出しを停止する。
【００３９】
図１２は、受皿４部分の詳細を示す。受皿４の底部には、ドル箱へ球を抜くための球抜口４１を開口しており、これを開閉するように球抜スライダ４２を設けている。スライダ４２の裏面に突設するピン４３は、球抜操作具４０の進退により軸４４１回りに揺動するクランク４４の長孔４４２に受入れている。球抜操作具４０を押し込むと、スライダ４２が移動して球抜口４１が開き、受皿４の底部の勾配により遊技球は球抜口４１の下方からこれに連なる下方通路４５を経てドル箱内に落とされる。球抜操作具４０の押込み時、クランク４４の小突起４４３により球抜き検知スイッチ４６が作動される。
【００４０】
図１２に示すように、受皿４の奥には、仕切り４７０により球一個の通過のみ許容させた４区画の球吸込口４７を開口しており、この球吸込口４７の下方に、仕切り４８０をもつ４列の傾斜状ガイドレール４８を設けている。そして、このレール４８に流下させる遊技球を排出装置５に導いている。球吸込口４７を一つ一つが球一個の通過のみ許容する区画構造にしているのは、不正球の挿入等のゴト行為を防止するためである。
【００４１】
図１３に示すように、排出装置５には、払出装置３で用いたと同じロータリー式球送出装置８を採用している。その遊技球の取込口８１に連なるガイド体８１０は、ガイドレール４８の下端爪４９に嵌め込んでいる。基本的に図１０、図１１と同じ構造であるが、排出装置５に用いた球送出装置８では、排出口８３の出口を、そのまま島３００に開放させている。また、回転ディスク８２の逆転により、排出口８３の上流側に滞留する遊技球を返却口８４から返却できるようにしており、返却口８４から延びる返却通路８７の出口８７０を、球抜口４１の下方近傍にある下方通路４５に隣接状に配置している。
【００４２】
このように、排出装置５を回転ディスク８２の回転によるロータリー式の構造としたため、遊技球の強制排出を円滑に行えると共に、回転ディスク８２の逆転により、排出口８３の上流における回転ディスク８２の移送経路中に溜まった遊技球を、返却口８４から遊技者の手元に戻すことができる。更に、返却通路８７から返却される滞留球と、受皿４の球抜口４１から抜かれる遊技球とを同じような位置から受け取ることができ、ドル箱等への球抜きが良好に行える。
【００４３】
図１３中、４２１は球抜スライダ４２に一体化したガイド棒、４２２は一端をガイド棒４２１に受入れ、球抜スライダ４２を閉方向に付勢するスプリングである。
【００４４】
図１３に示すように、排出装置５の正転によるクレジットアップ動作は以下の通りである。
(1)受皿４に遊技球が投入されると、受皿４の勾配により遊技球は吸込口４７へ流下する。
(2)遊技球は吸込口４７を通過後、ガイドレール４８を経て取込口８１に達する。
(3)遊技球は回転ディスク８２の溝８２０又はその上方に貯えられる。
(4)遊技球数のカウントによるクレジットアップを行う際、回転ディスク８２が左回転（正転）するようにモータ８２１に電流が供給される。
(5)回転ディスク８２の溝８２０に入り込んだ遊技球は、ディスク８２の回転に伴い移動し、上流側検知スイッチ８５（図１０，１１参照）の上部を通過する。（上流側検知スイッチ８５により所定の遊技球数がカウントされると、モータ８２１を停止する。）
(6)上流側検知スイッチ８５を通過した遊技球は、島３００へと落下する。この途中には、下流側検知スイッチ８６が設けられていて、この２つのスイッチによりカウントされた遊技球数がクレジットとなる。
【００４５】
図１２に示すように、排出装置５の逆転による残留球及びガイドレール４８上の球の返却は以下の通りである。
(1)球抜操作具４０を押し込むと、クランク４４が回転する。
(2)クランク４４の回転により球抜き検知スイッチ４６が作動し、回転ディスク８２が右回転（逆転）するように、モータ８２１に電流が供給される。
(3)回転ディスク８２の溝８２０に入り込んだ遊技球は、ディスク８２の回転に伴い移動し、返却口８４から返却通路８７へ落下する。
(4)遊技球は返却通路８７の勾配により流下し、受皿４の下方（ドル箱）へつながる下方通路４５と合流し、返却が行われる。
【００４６】
このように、球抜操作具４０を作動させて受皿４に貯めた球を抜くとき、連動して自動的に回転ディスク８２の逆転による滞留球の返却も行える。
【００４７】
以上、ドル箱への球返却は、受皿４の貯球が増えたとき任意に行え（図１５ステップ０２３）、また、遊技終了時に清算ボタン１４０を押してクレジット分を受皿４に払い出した後、引き続いて行うことにより、受皿４の球を全て手元に回収できる（同ステップ０２４〜０２７）。尚、一旦クレジット分を受皿４に払い出した後、思い直して遊技を再開する場合、球抜操作具４０を操作しないで、自動供給ボタン１５０又は手動供給ボタン１６０を押すことにより、島３００側に遊技球を排出させて、再びクレジットをアップさせることができる。
【００４８】
図１４は、切替機構７の詳細を示す。ベース７Ａには、払出通路３４の上流側フレキシブル通路３４２に連続する一次側通路７１、円形のセレクタチャンバ７２、払出通路３４の下流側通路３４３に連続する二次側右通路７２１、回収通路７０に連続する二次側左通路７２２を形成しており、上部に被せるカバー７Ｂにより蓋をしている。セレクタチャンバ７２には、軸７３０回りに回転する円板７３裏に一体化するセレクタ７４を配設しており、円板７３表のつまみ７５，７５を左右に倒すことにより、一次側通路７１を二次側の右通路７２１又は左通路７２２何れかにその連通を切替えるようにしている。
【００４９】
図１４中、７４０はセレクタ７４の先端を受入れるベース７Ａ側に設けた左右対称の凹所、７５０はつまみ７５の所定範囲の回転を許容させるカバー７Ｂ側に設けた上下一対の開口部、７６はベース７Ａに設けた４つの位置決め用くぼみ、７７は円板７３に設けたスイッチ操作片７７０付きの左側位置決めラッチ、７８は同円板７３に設けた右側位置決めラッチである。
【００５０】
図１４の状態は、払出通路３４の上流側が下流側に接続された通常状態を示す。このとき、円板７３の側方に取付けた切替検知スイッチ７９はオフ状態である。つまみ７５を回して円板７３を回転させて、一次側通路７１を回収通路７０に接続すると、各ラッチ７７，７８の係止位置が変わり、左側位置決めラッチ７７のスイッチ操作片７７０により切替検知スイッチ７９がオンし、これに連動して、払出装置３における球送出装置８のモータ８２１を正転駆動し、球タンク３０に溜まる遊技球を自動的に島３００に回収するようにしている。
【００５１】
このとき、投入通路６４側にある遊技球は回収されないため、遊技者側に不測の損害を与えることもない。又、回収通路７０側への切替に連動して払出装置３が駆動するため、切替機構７での一つの操作で簡易に遊技球を回収できる。更に、払出装置３から払い出された遊技球は、コイル状のフレキシブル通路３４２を経て切替機構７に至るため、払出装置３と切替機構７とを結ぶ通路構成を簡易にできると共に、フレキシブルでコイル状とした内部通路によって落下球を減速等でき、切替機構７への衝突を緩和できて、その機構を保護できる。
【００５２】
図１４中、３５０は、受皿４がオーバーフローして払出通路３４の球が流れずに滞留してきた場合、これを検知するオーバーフロー検知器であり、二次側右通路７２１の内部に臨む振り子式の検出片３５１と、これの動きでオンオフするスイッチ３５２とを有する。尚、オーバーフローを検出した場合、払出装置３を強制停止するようにしている。
【００５３】
以上のものでは、発射装置１と遊技盤２との間でクレジット度数に応じたのべ個数の封入遊技球を循環させる閉回路Ｎ、遊技機設置設備側との間で遊技球を給排させる開回路Ｏを独立に備え、開回路Ｏは、遊技盤２での入賞による賞球を逐次払い出す払出装置３、払い出された遊技球を貯める受皿４、受皿４に貯める遊技球を遊技機設置設備側に排出させる排出装置５を含み、排出する球数に基づいてクレジット度数を更新するコントローラを設けている。尚、閉回路Ｎと開回路Ｏが独立であるとは、通常の遊技状態で、両回路の遊技球が互いに干渉せず混ざり合ったりしないことをいう。又、コントローラは、例えば主基板１９１や枠基板１９２上のマイクロコンピュータ等を用いて構築している。
【００５４】
以上のものによれば、遊技者は、発射装置１から遊技盤２に向け、現時点で保有するクレジット度数に応じたのべ回数だけ封入遊技球を発射させ、遊技を楽しむことができる。遊技盤２で入賞が生じると、払出装置３から受皿４に賞球が逐次払い出される。このため、遊技者は遊技の進行に応じて、その都度、出玉の実感を得ることができる。封入遊技球の消費により、クレジット度数が減ると、排出装置５により受皿４に貯める遊技球を遊技機設置設備側に排出させる。すると、この排出する球数に基づいてクレジット度数が更新され、封入遊技球による遊技を続行することができる。
【００５５】
しかも、払出装置３、受皿４、排出装置５は、遊技機設置設備側との間で遊技球を給排させる開回路Ｏ上にあり、払出しは遊技機設置設備側からの供給球により行え、大当たり等の大量出玉にも良好に対応できる。また、受皿４に払い出された遊技球は遊技者が直接手にすることができ、ドル箱等に入れることもできる。更に、受皿４の遊技球を排出することによりクレジット度数を更新でき、獲得した球や持込み球による再プレーにも柔軟に対応できる。もちろん、遊技盤２上には、開回路Ｏ側とは独立の外部と遮断された封入遊技球のみが循環するため、クリーンでトラブルが少なく、ゴト対策も改善でき、封入球式の利点がそのまま生かされる。
【００５６】
図１５のステップ０２２では、入賞があると、その都度、賞球を受皿４に払い出すようにしたが、ステップ０２２に代え、ステップ１２２，２２２に示すように、賞球によりクレジットのアップを優先させ、クレジットが上限値２５０に達したとき、これを越える分の賞球を受皿４に払い出すようにしてもよい。
【００５７】
このようにすると、封入遊技球の発射のたびに少なくなるクレジット度数の減少を補って一定範囲のクレジット度数を確保でき、いつの間にかクレジット度数が零になって連続遊技が止まるといった事態を回避できる。それでいて、クレジット度数が上限値に達したときは（図１５ステップ２２２）、この上限値を越える分の賞球は払出装置３から受皿４に逐次払い出される。このため、ある程度の出玉があるとき、遊技者はその遊技の進行に応じた出玉の実感を得ることができる。
【００５８】
図１６は、図８−Ｉにおける発射装置１周りの拡大図であり、該発射装置１は、球循環装置１１の第１主ケースたるベース１１Ａと、これに対し折り畳み及び展開自在としたカバー１１Ｃとの間に、サンドイッチ状にすっぽりと内装している。ベース１１Ａ及びカバー１１Ｃは球循環装置１１の本体ケーシング１１Ｆを構成しており、そのベース１１Ａには、発射ソレノイド１Ｍから打ち出す球Ｐを遊技盤２側のガイドレール２０（図６参照）に導く発射球導出通路１１Ｇを設けている。このように、発射装置１の全体を、発射球導出通路１１Ｇをもつケーシング１１Ｆの内部にすっぽりと入れることにより、球の打ち出しに伴う衝撃音が外部に伝わるのを低減するようにしている。
【００５９】
図１６で明示した発射装置１の他、球送り装置１２や球搬送装置１７（図８参照）も、ベース１１Ａ及びカバー１１Ｃ間にすっぽりと内装しており、一層の低騒音化を図っている。また、発射ソレノイド１Ｍ、球送りソレノイド１２Ｍ、球搬送モータ１７Ｍといった駆動部を有するこれらの装置１，１２，１７を球循環装置１１の本体ケーシング１１Ｆに組付けてユニット化することにより、全体の取扱い及びメンテナンスを容易にしていると共に、適当な振動を球循環装置１１の本体ケーシング１１Ｆに付与し、上流通路１３や内部の球通路内で封入遊技球が円滑に流れるようにしている。
【００６０】
図１７は、図８−ＩＩにおける発射装置１周りの拡大図であり、発射ソレノイド１Ｍは、その外側を覆う半割構造（図１６参照）の第１ハウジング１Ａと第２ハウジング１Ｂとでサンドイッチし、これらハウジング１Ａ，１Ｂの各フランジ部１Ａｆ，１Ｂｆを突き合わせて、複数のネジ１Ｎによりベース１１Ａに取付けている。尚、各ハウジング１Ａ，１Ｂは、内部の発射ソレノイド１Ｍの様子がよく判るように透明ＡＢＳ等の透明部材で形成している。さらに各ハウジング１Ａ，１Ｂの径大な中央半円筒部１Ａｍ，１Ｂｍには、発射ソレノイド１Ｍからの発熱を逃がす円形の通気孔１Ａｈ，１Ｂｈを開口している。
【００６１】
図１８は、図１６，図１７で表わされた発射ソレノイド１Ｍの半割構造のハウジング１Ａ，１Ｂを一層明確にしたものである。発射ソレノイド１Ｍの円筒ケース１ＭＫはハウジング１Ａ，１Ｂの中央半円筒部１Ａｍ，１Ｂｍの内部に、ロッド１ＭＬの前部軸受１Ｍｔは同前部半円筒部１Ａｔ，１Ｂｔの内部に、同ロッド１ＭＬの後部軸受１Ｍｒは同後部半円筒部１Ａｒ，１Ｂｒの内部にそれぞれ収納している。ロッド１ＭＬの先端には、球を打つ先細りゴム製の槌先１Ｍｇを取付けている。尚、このものは、各ハウジング１Ａ，１Ｂの前方先端に半割構造の銃砲部１Ａｇ，１Ｂｇを設けたが、例えば第１ハウジング１Ａ側のみに銃砲部を設けてもよい。
【００６２】
図１９は、発射ソレノイド１Ｍの組立図を示す。固定子巻線１Ｍｆを介装するボビン１ＭＢの外側には金属製の円筒ケース１ＭＫを套嵌している。ボビン１ＭＢの内部にはロッド１ＭＬを結合したプランジャ１Ｍｐを挿入している。プランジャ１Ｍｐの前側には、復帰用コイルスプリング１Ｍｃと前部緩衝部材１Ｍａを介在させ、ボビン１ＭＢに一体化した４本の前部ラッチ脚１Ｍｉに前部軸受１Ｍｔの係止穴１Ｍｚを嵌合係止させている。プランジャ１Ｍｐの後側には、後部緩衝部材１Ｍｂを介在させ、ボビン１ＭＢに一体化した４本の後部ラッチ脚１Ｍｊに後部軸受１Ｍｒの係止穴１Ｍｗを嵌合係止させている。
【００６３】
図１９において、１Ｍｎ，１Ｍｓはボビン１ＭＢの巻線両端の磁極端板である。また、ロッド１の前側は円柱であるが、後側は一側に平坦部１Ｍｕを設けた非円柱としており、これを後部軸受１ＭｒのＤ形通孔１Ｍｄに挿入している。これにより、プランジャ１Ｍｐを回り止めし、その進退動を安定化させている。
【００６４】
図２０は、発射ソレノイド１Ｍの完成図断面である。ここに、ボビン１ＭＢ及び各軸受１Ｍｔ，１Ｍｒは、硬質な合成樹脂材料から成り、ロッド１ＭＬ及びプランジャ１Ｍｐの軸心にブレが生じないようにしている。これに対し、前後両側の各緩衝部材１Ｍａ，１Ｍｂは、ゴム等の軟質な材料から成り、プランジャ１Ｍｐの進退動に伴う衝撃をその弾性変形により吸収緩和し、一層の低騒音化が図れるようにしている。
【００６５】
図２１において、１Ｍｅは固定子巻線１Ｍｆと結ばれる口出線であり、図２３にも示すように、後部緩衝部材１Ｍｂの切欠部１Ｍｙから取り出している。図２２に示すように、前部緩衝部材１Ｍａ側からは口出線は出ないが、材料及び組立管理を容易にするため、前部緩衝部材１Ｍａにも切欠部１Ｍｘを設けて部品の共通化を図っているが、もちろん機能上問題となることはない。尚、口出線１Ｍｅは、図１７に示す第２ハウジング１Ｂの後部半円筒部１Ｂｒの切欠１Ｂｑから取り出すようにしている。
【００６６】
図２４〜２６は、球循環装置１１の第２実施例の詳細を示す。本体ケーシング１１Ｆの第１主ケースたるベース１１Ａは、図８のものと同様、遊技機本体１００の裏側に取付けるものである（図５参照）。
【００６７】
図２４及び図２５に示すように、ベース１１Ａには、発射ソレノイド１Ｍをもつ発射装置１、発射球導出通路１１Ｇ、前後一対の発射球検知スイッチ１５（１５ａ，１５ｂ）、遊技盤面に達せずに戻ってくる球を回収する戻り球回収通路１１Ｈ、戻り球を検出する戻り球検知スイッチ１６、プレート状の発射球及び戻り球カバー１１Ｊを設け、発射関連機構部をまとめている。発射球及び戻り球カバー１１Ｊは、３辺に位置する先鋭三角鉤状の係止爪１１Ｋと平面内２箇所の位置決めピン１１Ｌによりベース１１Ａに着脱自在に取付けている。
【００６８】
図２４において、本体ケーシング１１Ｆの第２主ケースたるカバー１１Ｃは、回動式の展開機構１１Ｂにより、ベース１１Ａに重ね合わせた折り畳み状態（通常の使用状態）と、展開させて互いの内部を外部に開き、点検・清掃等に対応させた展開状態とに位置変更自在としている。発射関連機構部をまとめたベース１１Ａ側とは異なり、カバー１１Ｃ側には、球循環機構部をまとめている。このように、２つに分かれる主ケース１１Ａ，１１Ｃのそれぞれに、独立した機能を集約させることにより、組付及びメンテナンス等を一層容易にしている。
【００６９】
図２４及び図２６に示すように、カバー１１Ｃの表側には、傾斜状通路から成る上流通路１３及びその通路カバー１１Ｍ、閉回路Ｎ中の過剰球を島３００に排出する過剰球排出通路１１Ｎ及びその通路カバー１１Ｐを設けている。上流通路カバー１１Ｍは、上下一対３箇所の外側張出し爪１１Ｑとこれを引っ掛ける引掛爪１１Ｒによりカバー１１Ｃに対し着脱自在にしている。排出通路カバー１１Ｐは、３箇所の先鋭三角鉤状の係止爪１１Ｓ及び係止孔１１Ｔと２つの位置決めピン１１Ｕによりカバー１１Ｃに対し着脱自在にしている。
【００７０】
図２４及び図２６において、カバー１１Ｃの内側には、球搬送モータ１７Ｍ、減速機１７ｍ及び搬送スクリュー１７Ｓをもつ球搬送装置１７、上流通路１３から球送り装置１２に至る球を検知する球通路スイッチ１８、上流通路１３に折り返して連通する傾斜状の連通路１１Ｖ及び盤面排出球通路１４をもつ球送り通路ケース１１Ｗ、盤面排出球通路１４及び戻り球回収通路１１Ｈに連通する下流通路１９をもつ下流通路ケース１１Ｘ、球送りソレノイド１２Ｍ及びスライダ１２Ｓをもつ球送り装置１２及びこれを保持する球送りケース１１Ｙを設けている。
【００７１】
図２４及び図２６において、球搬送装置１７は３箇所をネジによりカバー１１Ｃの内側に取付けている。球送り通路ケース１１Ｗは、４組の先鋭三角鉤状の係止爪１１Ｚ及び係止孔１１ａと２組の位置決め用筒状ボス１１ｂ及び受入孔１１ｄによりカバー１１Ｃの内側に着脱自在に取付けている。下流通路ケース１１Ｘは、２箇所の先鋭三角鉤状の係止爪１１ｅ及び係止孔１１ｆと２つの位置決めピン１１ｇにより球送り通路ケース１１Ｗの裏側に着脱自在に取付けている。球送りケース１１Ｙは、上側の先鋭三角鉤状の係止爪１１ｈ及び係止孔１１ｉと下側のＬ型爪１１ｊ及び引掛孔１１ｍと２つの位置決めピン１１ｎにより球送り通路ケース１１Ｗの裏側に着脱自在に取付けている。
【００７２】
図２４において、球の流れは以下の通りである。
(1)上流通路１３内の球は、連通路１１Ｖを経て球送り装置１２に流れる。
(2)球送りソレノイド１２Ｍの動作により、発射装置１に送られる。
(3)発射ソレノイド１Ｍの動作により、発射球検知スイッチ１５ａ，１５ｂを通過して盤面へ発射される。
(4)盤面排出球通路１４に落ちたアウト球又は入賞球はＡから下流通路１９を通ってＢへ流れる。
(5)Ｂへ流れた球は、球搬送装置１７のスクリュー下端位置Ｃに導かれ、球搬送モータ１７Ｍの動作によりスクリュー上端位置Ｄまで上昇する。
(6)Ｄまで上昇した球は、Ｅから上流通路１３に戻る。
(7)盤面に達しない戻り球は、戻り球回収通路１１Ｈから戻り球検知スイッチ１６を通過して、ＦからＧを通り、下流通路１９において盤面排出球と合流し、Ｂへ流れ、アウト球や入賞球と同様、球搬送装置１７によりスクリュー上端位置Ｄまで上昇する。
【００７３】
図２４において、球通路スイッチ１８の機能、クレジットのカウントダウン、球送り装置１２の動作、発射装置１の動作、球搬送装置１７の動作等は、図８を参照して説明した上記内容と同じである。尚、球通路スイッチ１８は、図８及び図２４のもの何れも、壁を隔てて検出端面に遊技球が存在しているか否かを感知する近接スイッチから成るものである。また、ベース１１Ａ及びカバー１１Ｃ、発射球及び戻り球カバー１１Ｊ、上流通路カバー１１Ｍ、排出通路カバー１１Ｐ、球送り通路ケース１１Ｗ、下流通路ケース１１Ｘ、球送りケース１１Ｙは透明ＡＢＳ等の透明部材で形成しており、内部の封入遊技球の循環状態が容易に目視できるようになっている。
【００７４】
図２４及び図２６において、球搬送装置１７は下方の球を上方に揚送する球揚送装置１７を構成している。このような球揚送装置１７を設けたことにより、球循環装置１１内において盤面排出球（入賞球、アウト球）及び戻り球の球通路落差を十分に確保でき、その球の流れを円滑にできると共に、一旦下方に集めた球を揚送して発射装置１に導くから、発射装置１に安定して球を供給することができる。尚、このような球搬送装置１７は、封入式のものに限らず、例えば、通常の遊技機において打ち損ない等による戻り球を下皿に放出させるのではなく、発射装置に自動的に導く機構にも適用できる。この場合、一々下皿から手で上皿に球を入れ直す手間が省ける。
【００７５】
図２４及び図２６における上流通路１３及び連通路１１Ｖは、球送り装置１２を経て発射装置１に導く前の封入遊技球を整列させる傾斜状通路から成るものであるが、同時に閉回路Ｎ中に所定数の封入遊技球、例えば２５個の球Ｐを一時的に貯留する球貯留許容部を構成する。すなわち、上流通路１３及び連通路１１Ｖには、本例では最大２５個の球Ｐを保持できるようにしている。尚、許容個数は２５個以上の数（例えば３０個）でもよいし、これ以下の数でもよい。
【００７６】
図２６に示すように、上流通路１３の入口すなわち球搬送装置１７の出口には、幅が略球１個分の寸法で、奥行が球１個半から２個分に満たない寸法の球受継樋１３Ｊを設けており、この球受継樋１３Ｊの反上流通路１３側に、貯留許容数（本例では２５個）を越える封入遊技球の乗り越えを可能にするオーバーフロー振分体１３Ｗを設け、この振分体１３Ｗを挟んで超過球排出通路１１Ｎの入口側を隣接させている。
【００７７】
図２６に示すように、点検・清掃時等に閉回路Ｎ中に封入遊技球を過剰に封入したような場合で、上流通路１３及び連通路１１Ｖに最大２５個の封入遊技球Ｐが常時貯留するものであると、球搬送装置１７から搬送されてくる新たな球Ｐはオーバーフロー振分体１３Ｗを乗り越え、超過球排出通路１１Ｎを経て島３００に排出される。これにより、過剰封入が自動的に是正される。球貯留許容部である上流通路１３及び連通路１１Ｖと、超過球排出通路１１Ｎとにより、過剰球数是正手段が構成される。この是正手段は、過剰封入を自動的に是正するため、逆の見方をすると、点検時等に係員は厳密に規定個数を数える必要はなく、少し多めの封入遊技球を封入すればよく、作業性が改善できる。
【００７８】
図２６の状態は、過剰封入だけでなく、上流通路１３や連通路１１Ｖで球詰りが生じた場合にも起こる。この場合も、上流通路１３の入口まで球が溜ってくると、球搬送装置１７から搬送されてくる新たな球Ｐはオーバーフロー振分体１３Ｗを乗り越え、超過球排出通路１１Ｎを経て島３００に排出される。これにより、球詰り発生部位の上流側に球が累積的にどんどん詰め込まれて、新たな球噛み等が発生するのを抑制できる。従って、上記過剰球数是正手段は、同時に球詰り対処手段を兼ねる。
【００７９】
図２６において、球受継樋１３Ｊでゴミ詰りや球噛み等があり、球搬送装置１７から球受継樋１３Ｊへの球の受継ぎに障害が生じた場合にも、球搬送装置１７から搬送されてくる新たな球Ｐはオーバーフロー振分体１３Ｗを乗り越え、超過球排出通路１１Ｎを経て島３００に排出される。これにより、無理な球の押し込みにより球搬送装置１７に過大負荷が作用したり、通路が破損したりする事故を未然に防止できる。従って、上記過剰球数是正手段は、さらに球搬送装置１７からの球受継ぎ障害対処手段をも兼ねる。
【００８０】
図２７は第２実施例の発射装置１周りの平面図、図２８はその正面図であり、それぞれ、第１実施例の図１６、図１７に対応している。このものも、基本的に図１６、図１７を参照して説明した第１実施例と同じ内容である。ただし、図２７のとおり、半割構造の第１ハウジング１Ａのみに略４分の３の円筒外面をもつ銃砲部１ＡＧを設けている。また、その銃砲部１ＡＧの底部には、鋼板等から成る断面Ｖ字型の発射レール１Ｒを設置し、摩耗等を低減している。
【００８１】
図２９は、発射装置１の組立図を示し、図１９〜２３で示したものと同じ発射ソレノイド１Ｍを用い、これを半割構造の第１及びハウジング１Ａ，１Ｂでサンドイッチして４つのネジ１Ｎにてベース１１Ａに取付けている。
【００８２】
図３０〜３２に示すように、ベース１１Ａには、発射装置１の第１ハウジング１Ａの外側を受け入れる凹所１Ｗ、第１ハウジング１Ａの円筒座部１Ｘを受入れるネジボス１Ｙを突設している。
【００８３】
図３３〜３７は、球搬送装置１７の詳細を示す。搬送スクリュー１７Ｓは、第１スクリューケース１７Ａと第２スクリューケース１７Ｂの間に内装している。２つのケース１７Ａ，１７Ｂは、４組の先鋭三角鉤状の係止爪１７Ｆ及びこれを突入させる嵌合孔１７Ｈにより分解自在にしている。２つのケース１７Ａ，１７Ｂの内方に、球入口１７Ｊから球出口１７Ｑに至る球搬送通路１７Ｇを形成している。搬送スクリュー１７Ｓは、中心部にインナーシャフト１７Ｄを一体に具備し、両端を軸受１７Ｒ，１７Ｔで支持している。減速機１７ｍ及び球搬送モータ１７Ｍは、モータブラケット１７Ｚを介して取付け、継手用アダプタ１７Ｕによりシャフト１７Ｄと連結している。出口近くのスクリュー間には球止壁１７Ｗを設けており、軸端側での球噛みを防止して球出口１７Ｑから円滑に球を排出できるようにしている。排出された球Ｐは、上流通路１３の入口に位置する球受継樋１３Ｊに開放される（図２６参照）。尚、１７ａ，１７ｂは各ケース１７Ａ，１７Ｂをカバー１１Ｃに取付ける取付座部である。全体は透明ＡＢＳ等の透明部材から成る。搬送スクリュー１７Ｓの回転数は、球搬送モータ１７Ｍの出力を減速機１７ｍで１５分の１に落とし、約２００ｒｐｍ程度である。
【００８４】
図３８は、球搬送装置１７に着脱自在に付設する球磨き装置１７Ｃを示し、半円筒形のフィルタケース１７ｆ、球出口１７Ｑの対応部位をストレートに開放させた出口部ケース１７ｅ、第１スクリューケース１７Ａ側取付座部１７ａに設ける突起１７ｒに係止する係止片１７ｔ、第１スクリューケース１７Ａに設ける止穴１７ｈに引っ掛けるレバー片１７ｇを一体化している。フィルタケース１７ｆには、不織布、スポンジ、軟質ゴム等のフィルタを入れ、定期的に交換するようにしている。尚、球磨き装置１７Ｃは、汚れる部分であることから、例えば黒色のＡＢＳ等で形成している。
【００８５】
図３９の遊技機は、投入口６から受皿４に至る投入通路６４と、払出装置３から受皿４に至る払出通路３４とを合流させずに独立させて設け、それぞれの出口を受皿４の奥行方向内方に左右対向状に変位させて開口した通路構成をもつ。遊技機本体１００の幅方向一側すなわち遊技機の正面から見て左側には投入通路６４を、他側すなわち右側には払出通路３４をそれぞれ配置している。
【００８６】
このように、投入通路６４の遊技球と払出通路３４の遊技球とは、それぞれ独立して別の出口から受皿４に開放され、受皿４に至る球経路に合流部はないため、投入通路６４及び払出通路３４それぞれの遊技球を受皿４に円滑に導くことができる。又、投入通路６４と払出通路３４とを遊技機本体の幅方向一側と他側に分かれて配置したため、遊技機本体の幅方向中央部に基板設置スペースや裏機構配設スペースを広く確保でき、裏構造をまとまりの良いものにできる。
【００８７】
図４０に示すように、払出装置３は、上述の図９〜１１の第１実施形態と同様、遊技球を貯める球タンク３０を備え、払出指令に基づいて所定個数の遊技球を払出すものであり、球タンク３０に、払出すべき遊技球を払出通路３４に強制的に送り出す球送出装置８を直結している。これにより、従来のような球タンクから延びる長尺な球整列樋を廃止して省スペース化を図っていると共に、従来のような重力落下を利用した払出しではなく、球送出装置８による強制的な球送りによる払出しにより、その払出し動作の高速化を図り、大当たり時等の大量出球に追従性良く対応できるようにしている。
【００８８】
また、第１実施形態と同様、球送出装置８は、球タンク３０に連通する取込口８１、取込む遊技球を円弧状通路から成る移送路８２２に沿って回転方向に移送する回転移送体８２、移送する遊技球を払出通路３４に排出する排出口８３をもつロータリー式のものから成る。このように球送出装置８をロータリー式とすることにより、構成の一層のコンパクト化を図ると共に、球の送り出し動作を確実かつ円滑に行えるようにしている。尚、第１実施形態と同様、取込口８１は、球タンク３０の底部に設ける爪３２に嵌め込む着脱式の球ガイド体８１０により球タンク３０の内部と結ばれ、また、回転移送体８２は、外周に遊技球を受入れる所定深さをもち平面から見て円弧状を呈する多数の溝８２０を設けた回転ディスクから成る。
【００８９】
更に、第１実施形態と同様、回転移送体８２及びその駆動モータ８２１の軸線８２Ｌは、球タンク３０の水平線３０Ｈに対し傾斜させており、回転移送体８２に円滑に球を取り込ませることができるようにしていると共に、球タンク３０内に貯留する多数の遊技球の荷重が駆動モータ８２１にそのまま直に作用するのを軽減し、できるだけ駆動モータ８２１にかかる負荷を軽くするようにしている。その軸線８２Ｌの傾斜角αは、図示のとおり４５°若しくはこの近辺に設定するのが好ましく、球の円滑な取込みと、貯留球による負荷の軽減とが両方うまく図られる。
【００９０】
軸線８２Ｌの傾斜配置に伴い、複数の遊技球を取込み可能とした一次側の取込口８１、取込む遊技球を回転方向に整列させて移送する回転移送体８２、移送する遊技球を二次側通路に排出する排出口８３を備える球送出装置８にあって、回転移送体８２による移送路８２２をも水平面に対し傾斜させ、この移送路８２２の傾斜方向下方に取込口８１を上方に排出口８３をそれぞれ設けて、下方から斜め上方に向け回転移送体８２の回転方向に倣う円弧に沿って遊技球を揚送するようにしている。これにより、重力に逆らう適度な搬送抵抗の付与により、遊技球が不用意にはじき飛ばされたり、なだれ現象等によって過剰払出しが行われたりすることもなく、しかも、揚送負荷が過大になったり、揚送途中で球噛みや球詰り等が生じたりすることもなく、円滑な強制搬送が行える。
【００９１】
また、図４０の第２実施形態のものは、図９の第１実施形態と同様、球タンク３０の下位底部に回転移送体８２を臨ませていると共に、回転移送体８２の上方において球タンク３０の内方側に張り出すように駆動モータ８２１を配置している。これにより、球タンク３０の外方に駆動モータ８２１が出っ張るのを防止でき、より一層のコンパクト化が図れる。
【００９２】
更に、図４０の第２実施形態のものは、図９の第１実施形態と同様、駆動モータ８２１は、前方に直結する減速機８２Ｄと共にモータケース８２３に保持させている。モータケース８２３は、中心部に駆動モータ８２１及び減速機８２Ｄを納める筒部８２Ｔを有し、軸線８２Ｌの傾斜構成と相まって、筒部８２Ｔの下方腹面を球タンク３０の内方から取込口８１側にかけて臨ませ、これにより、取込口８１側に遊技球を導く誘導部を構成している。こうして、駆動モータ８２１の傾斜配置によるコンパクト化と相まって、球の取込みを一層円滑に行えるようにしている。尚、図９の第１実施形態において、モータケース８２３の筒部８２Ｔの左右両側に一体的に張り出す羽根状板部８２Ｆ，８２Ｆも、筒部８２Ｔの下方腹面と同様、取込口８１側に遊技球を導く誘導部を構成している。
【００９３】
図４０の第２実施形態は、図９の第１実施形態と異なり、回転移送体８２による遊技球の移送路８２２の途中に、斜め上方側から、回転移送体８２の軸線と平行状に延びる片持ちスプリング８２４の下方の自由端を臨ませている。その自由端と移送路８２２の底面との間には、球１個分のリフトを確保しており、取込口８１から離れた排出口８３の間際の最下流側移送路８２２ｄと共に、球一個分の通過を許容する規制通路を構成している。尚、スプリング８２４の上方側端部は、モータケース８２３に固定している。
【００９４】
このようにスプリング８２４を設けることにより、多数貯留する遊技球を入口側で適度にさばいて回転移送体８２に遊技球を一個づつ円滑に取り込ませると共に、移送する遊技球に適度な遊びを付与し、回転移送体８２と移送路８２２との間で遊技球の噛込みや球詰り等が生じるのを防止できるようにしている。従って、遊技球は回転移送体８２の各溝８２０に円滑に取り込まれ、噛込み等もなく円滑に移送される。尚、スプリング８２４は導電性材料から成り、遊技球の静電気を接地できるようにしている。
【００９５】
図４０において、３１０は球タンク３０内の球切れ検出器である。図９のものでは壁を隔てて検出端面に遊技球が存在しているか否かを感知する近接スイッチを用いたが、図４０のものでは、球有り時は下方に揺動してマイクロスイッチ３１１をオンし、球切れ時は同スイッチ３１１をオフにする検知板３１２を備えて成る。マイクロスイッチ３１１及び検知板３１２はホルダー３１３に保持させて、球タンク３０の下面に取付けている。３３は球タンク３０からの球落ち防止ガイドであり、上向きに突出する多数の小幅なガイド片３３０をもつ合成樹脂製一体成型品から成る。８２５は移送路８２２の底面及び側面を区画するホッパーケースである。該ホッパーケース８２５には、モータケース８２３及び球ガイド体８１０がネジ止めより取付けられる。ホッパーケース８２５、モータケース８２３、球ガイド体８１０により、球送出装置８を一体にまとめる本体ハウジングを構成している。
【００９６】
図４１及び４２は、球タンク３０から球送出装置８をその本体ハウジングごと取り外した状態を示す。球ガイド体８１０の先端を嵌め込む爪３２は、タンク底部の円弧状開口３２０に沿って４つ設けている。３２１，３２１は、球送出装置８の本体ハウジングを取付けるボス部であり、図４３に示すホッパーケース８２５の左右に突出させたフランジ８２６，８２６を当接させ、ネジにより取付けるようにしている。従って、爪３２部の嵌合とボス部３２１の２箇所のネジ締めとにより、簡単且つ確実に球送出装置８を装着でき、また、これらを外すことにより簡単に取外しが行える。
【００９７】
図４３に示すように、図４０の第２実施形態のものは、図９の第１実施形態と異なり、取込口８１を挟んで円周方向一側に設ける排出口８３に対し反対側の円周方向他側に位置する第２の排出口８４を、球タンク３０及び回転移送体８２の溝８２０内に滞留する遊技球を遊技機設置設備側すなわち島に回収する回収口として利用している。すなわち、回転移送体８２は正逆転切換え式の駆動モータ８２１によって同じく正逆転切換え式としており、その逆転により、回転移送体８２で移送する遊技球を排出口８３と別に設ける第２の排出口８４を経て回収通路７０に導く構成にしている。これにより、球タンク３０の部分で、通常の払出しの他に、点検や閉店時等における遊技球の回収をも行え、特別な切換機構７を設ける必要性もなく、一層の構成の簡易化及び小型化が図れるようにしている。尚、回収通路７０の出口は、図３９に示すように島に開放される。
【００９８】
図４３において、第１排出口８３と第２排出口８４とは、ハの字形に隣接する仕切り壁８３３，８４３を挟んで近接させており、各排出口８３，８４に至る移送路８２２，８２２を、限られた寸法の範囲内で共に最大限に長く確保し、正逆作動時何れについても遊技球の良好な強制移送が行えるようにしている。また、第２排出口８４に至る移送路８２２の途中にも、第１排出口８３に至る移送路８２２の途中に設けた片持ちスプリング８２４と同じものを対称な位置に配設しており、遊技球の回収時にも円滑な作動が行えるようにしている。
【００９９】
図４４に示すように、取込口８１から離れた下流側の移送路８２２は、上述したとおり、球一個分の通過を許容する規制通路としており、この規制通路に上流側検知スイッチから成る球検出器８５を配設している。この点、図１１も同じである。図１１のものは移送路８２２を垂直に描いているが、図９から明らかなとおり実際には４５°に傾斜しており、図４４と同じである。こうして、斜め上方に向く移送路８２２に沿い、重力に逆らう適度な搬送抵抗を付与しながらの移送構成と相まち、規制通路を通る１個１個の遊技球を球検出器８５で検出させることにより、検出ミスすることなく良好かつ確実な検出を行わせ、検出精度を高めている。
【０１００】
排出口８３の出口には、下流側検知スイッチから成る第２の球検出器８６を設けており、２つの球検出器８５，８６により、より一層の検出精度の向上を図ると共に、セキュリティを万全にしている。
【０１０１】
ところで、図４４のものは、一次側に貯留する遊技球を回転ディスク等による強制移送手段によって球１個分の通過を許す移送路８２２を経て二次側に送り出す構成において、移送路８２２を上流部から下流部に向けて上を向く傾斜状通路にすると共に、この傾斜状通路の上方に二次側への排出口８３を開口し、この排出口８３の開口位置を頂上とした頂上乗越えにより二次側に遊技球を取り出す構成とする一方、排出口８３の開口位置の前後に第１及び第２の一対の球検出器８５，８６を配置している。このように、重力に逆らう適度な搬送抵抗の付与による良好な搬送と共に、頂上乗り越えによる排出とし、この頂上乗り越え部分の前後において、まさに排出されようとする遊技球と現実に排出された遊技球とを検出するから、極めて適切かつ的確な球計数が行え、信頼性及び精度を極めて高くできるのである。
【０１０２】
図４４において、傾斜状通路と排出口８３との連続部には、傾斜状通路を上昇する遊技球の向きを変えて排出口８３に誘導する誘導体８３０を設けている。この誘導体８３０は、排出口８３の流入部に広い台形状の盗みを確保するホッパーケース８２５側の受入ガイド８３１と、これに対向するモータケース８２３側の三角状押出ガイド８３２とから成る。第２排出口８４側も同様の構成にしており、受入ガイド８４１と押出ガイド８４２とから成る誘導体８４０を設けている。こうして、誘導体８３０，８４０を設けることにより、円滑な球排出が行えるようにしている。
【０１０３】
図４５は、受皿４部分の第２実施形態を示しており、球送出装置８を取外した平面図である。基本的には、図１２の第１実施形態と同じであるが、投入通路６４の出口は受皿４の奥行方向内方の左側に接続し、払出通路３４の出口はその反対側の右側に接続している。
【０１０４】
図４６に示すように、受皿４の奥には、計数すべき遊技球を遊技機設置設備側の島に通じる排出路に強制的に送り出す球送出装置８を直結しており、遊技機正面の自動供給ボタン１５０又は手動供給ボタン１６０の操作に起因した計数指令に基づいて受皿４から排出する遊技球を計数し、クレジットアップするようにしている。こうして、受皿４の奥に球送出装置８を直結することにより、全体構成のコンパクト化を図ると共に、球送出装置８による強制的な球送りにより、計数処理を高速化するようにしている。尚、この技術は、景品交換場や島の適宜箇所等に設けるいわゆるジェットカウンタにも適用できる。
【０１０５】
図４６の第２実施形態も、図１３の第１実施形態と同様、球送出装置８は、受皿４に連通する取込口８１、取込む遊技球を円弧状通路から成る移送路８２２に沿って回転方向に移送する回転移送体８２、移送する遊技球を排出路となる島側に排出する排出口８３をもつロータリー式のものから成る。このように球送出装置８をロータリー式とすることにより、構成の一層のコンパクト化を図ると共に、球の送り出し動作を確実かつ円滑に行えるようにしている。
【０１０６】
尚、図４６の第２実施形態では、図１３の第１実施形態が取込口８１に至る球ガイド体８１０と受皿４からのガイドレール４８とを分離しているのとは異なり、これら球ガイド体８１０とガイドレール４８を丁度一体化させたような球継ぎ路４８１を用い、この球継ぎ路４８１を介して受皿４と取込口８１とを連結している。球継ぎ路４８１はその先端を受皿４の底部に設ける爪４９０に嵌め込む着脱式としている。
【０１０７】
その他、回転移送体８２は外周に遊技球を受入れる所定深さをもち平面から見て円弧状を呈する多数の溝８２０を設けた回転ディスクから成る点、回転移送体８２及びその駆動モータ８２１の軸線８２Ｌを受皿４の水平線４Ｈに対し傾斜させている点、その傾斜角αを４５°若しくはこの近辺に設定するのが良い点、移送路８２２も同様な傾斜構成にして重力に逆らう適度な搬送抵抗の付与による搬送をしている点、球ガイド体８１０に代わる球継ぎ路４８１に回転移送体８２を臨ませ、回転移送体８２の上方において球継ぎ路４８１側に張り出すように駆動モータ８２１を配置している点、駆動モータ８２１を保持するモータケース８２３に取込口８１側に遊技球を導く誘導部を設けている点、回転移送体８２による遊技球の移送路８２２の途中に回転移送体８２の軸線と平行状に延びる片持ちスプリング８２４の自由端を臨ませている点、及び、それぞれの関連事項は、図４０を参照して説明した内容と同じである。
【０１０８】
図４７に示すように、受皿４部分の第２実施形態は、図１２の第１実施形態と同様、回転移送体８２を正逆転切換え式としており、その逆転により移送する遊技球を排出口８３と別に設ける第２の排出口たる返却口８４を経て返却通路８７に導く構成にしている。図４７の返却通路８７は、球継ぎ路４８１の構成体と一体化している。その他、第１の排出口８３と第２の排出口８４とを近接させている点、第２の排出口８４に至る移送中にも片持ちスプリング８２４を配設している点、及び、それぞれの関連事項は、図４３を参照して説明した内容と同じである。
【０１０９】
図４７に示すように、球継ぎ路４８１は、仕切り４８０（４８ｉ，４８ｊ，４８ｋ，４８ｍ，４８ｎ）で区画する４レーンの球通路４８Ａ，４８Ｂ，４８Ｃ，４８Ｄを備え、各通路の底面には、下方に開放するスリット４８２をそれぞれ設けている。図４６に示すように、各スリット４８２の下方には、該スリット４８２からの落下物の捕集具４８３を配置しており、ジュース等の液体や煙草の灰等といった正規の遊技球以外の異物が球送出装置８側に侵入するのを未然に防いでいる。捕集具４８３は、受皿４の底部から延びる球抜き用の下方通路４５の構成部材４５０と一体的に兼用させて設けており、異物は下方の例えばドル箱の内部に戻される。尚、受皿４に直結する球送出装置８の本体ハウジングは、ホッパーケース８２５、モータケース８２３、球ガイド体に代わる球継ぎ路４８１から成り、受皿４側のボス部４０１，４０１にホッパーケース８２５側のフランジ８２６，８２６を当接させてネジにより取付けている。
【０１１０】
図４８に示すように、受皿４から球送出装置８側への球吸込口４７、すなわち球滞留部と球計数機構部とを結ぶ球取込部は、球一個分の通過を許容する複数個の開口区画、具体的には球継ぎ路４８１の４レーンに対応させて４つの開口区画４７Ａ，４７Ｂ，４７Ｃ，４７Ｄをもつ。それぞれは仕切り４７０（４７ｉ，４７ｊ，４７ｋ，４７ｍ，４７ｎ）で区画している。このように、球取込部を球一個分の通過を許容する複数個の開口区画とすることにより、球計数機構部側への供給球を十分に確保して計数処理の高速化を図りながら、異物の挿入やゴト行為を効果的に防止できるようにしている。尚、球取込部を複数の開口区画に仕切ったことから、各開口区画に円滑に球が吸い込まれるように、偏心カムやハンマー等の打部を開口区画近くの壁面に打ち当てる等といった振動付与手段を設け、開口区画に振動を付与するようにしてもよい。
【０１１１】
その他、図４５〜４８の受皿４部分の第２実施形態は、図１２，１３の第１実施形態も同様であるが、図４４を用いて説明した点、すなわち、取込口４１から離れた下流側の移送路８２２を球一個分の通過を許容する規制通路としている点、頂上乗り越えにより球排出を行う点、頂上乗り越えの前後に一対の球検出器８５，８６を配設している点等と内容において同じである。
【０１１２】
図４９は図５における基板まわりの詳細を示す。第１基板たる主基板１９１と第２基板たる枠基板１９２とは、前述したとおり、施錠機構付き基板保護装置から成る単一のロック機構１９３によりロックしている。このように異なる種類の複数の基板を一つのロック機構１９３でロックすることにより、ロック時には複数の基板をまとめてセキュリティが図れ、ロック解除時には、複数の基板を同時にメンテナンスできるのであり、点検、修理等の利便を高めつつ、ＲＯＭの改ざん等のゴト行為に簡易かつ確実に防御することができる。
【０１１３】
図５０に示すように、第１基板たる主基板１９１は、下ケース１９ｉと上ケース１９ｊとを、爪１９ｅと係止段部１９ｇから成る複数の係止手段を介して箱状と成した第１基板ケース１９Ａの内部に納めている。同じく第２基板たる枠基板１９２は、下ケース１９ｋと上ケース１９ｍとを、爪１９ｆと係止段部１９ｈから成る複数の係止手段を介して箱状と成した第２基板ケース１９Ｂの内部に納めている。これら基板ケース１９Ａ，１９Ｂは全体を透明な合成樹脂材料で形成している。コネクタ部分等の外部接続部を除き、ＣＰＵ，ＲＯＭ、周辺回路部品は全て基板ケース１９Ａ，１９Ｂの内部に収めている。
【０１１４】
第１基板ケース１９Ａは、その右端をピン１９ｐをもつヒンジ１９ｘから成る上下一対の回動支持機構により遊技機本体裏のベース部材に支持され、ピン１９ｐを中心として右側に戸開きできるようにしている。一方、第２基板ケース１９Ｂは、その左端をピン１９ｑをもつヒンジ１９ｙから成る上下一対の回動支持機構により遊技機本体裏のベース部材に支持され、ピン１９ｑを中心として左側に戸開きできるようにしている。左右下方側のヒンジ１９ｘ，１９ｙには、各基板ケース１９Ａ，１９Ｂと当接して下方への脱落を防止するサポート片１９ｓを一体化している。
【０１１５】
従って、図５０に示すように各基板ケース１９Ａ，１９Ｂは単独で戸開きできる他、これら基板ケース１９Ａ，１９Ｂは観音開きできるようになっている。これにより、図４９に示すように通常時は各基板ケース１９Ａ，１９Ｂの底面で蓋をした遊技機本体裏のベース部材開口部２Ｒを開放でき、遊技盤２の裏面の球通路並びに、可変図柄表示装置２１の裏側や遊技盤裏面に取付ける液晶コントロール基板や各種中継基板等をむき出しの状態にでき、点検、修理が容易に行えるようにしている。
【０１１６】
図５１にも示すように、前記ロック機構１９３は、各基板ケース１９Ａ，１９Ｂの突き合わせ側上部の段部１９ａ，１９ｂに上から覆い被さる長尺なサポート部１９３Ａ、遊技機本体裏のベース部材に立設させるブラケット１９ｚに回動自在に支持する枢支側基端部１９３Ｂ、遊技機本体裏のベース部材側との間で施錠及び解錠する錠の可動部を保持するＬ形の操作側先端部１９３Ｃとから成る。キーの差し込み及び回転により施錠を外してロックを解除すると、全体は基端部１９３Ｂを中心に９０°以上回動可能となり、サポート部１９３Ａを各基板ケース１９Ａ，１９Ｂの上から退かすことにより、基板まわりのセキュリティを解除できる。
【０１１７】
尚、各基板ケース１９Ａ，１９Ｂの内部には一枚のプリント基板を収納する他、例えば図示のように主基板１９１とエラー表示基板１９４とをまとめて収納するといったように２種以上の基板を一つの基板ケースに収めてもよい。また、各基板ケース１９Ａ，１９Ｂを上下方向に分割する等して、３以上の基板ケースを一つのロック機構１９３でまとめてロックするようにしてもよい。更に、上記ヒンジ１９ｘ，１９ｙやブラケット１９ｚを遊技機本体裏のベース部材に固定するネジは、全て、ロック状態にある各基板ケース１９Ａ，１９Ｂの影やロック機構１９３の影で隠され、ドライバー等は挿入できない構造にしており、セキュリティを万全にしている。
【図面の簡単な説明】
【０１１８】
【図１】本発明送出装置を適用した弾球遊技機の正面図。
【図２】図１の平面図。
【図３】投入口周りの通路説明図。
【図４】図１の側面図。
【図５】図１の背面図。
【図６】遊技盤の正面図。
【図７】図６の背面図。
【図８】球循環装置の説明図。
【図９】払出装置の説明図。
【図１０】球送出装置の要部説明図。
【図１１】図１０のＹ−Ｙ断面図。
【図１２】受皿部分の平面的説明図。
【図１３】受皿及び排出装置の断面図。
【図１４】切替機構の正面図。
【図１５】遊技動作を示すフローチャート。
【図１６】図８−Ｉの要部拡大図。
【図１７】図８−ＩＩの要部拡大図。
【図１８】図１６の分解図。
【図１９】発射ソレノイドの分解断面図。
【図２０】同完成断面図。
【図２１】同完成正面図。
【図２２】同完成右側面図。
【図２３】同完成左側面図。
【図２４】球循環装置の第２実施例の説明図。
【図２５】球循環装置のベース側組付完成図。
【図２６】球循環装置のカバー側組付完成図。
【図２７】図１６に対応した発射装置の第２実施例の平面図。
【図２８】図１７に対応した発射装置の第２実施例の正面図。
【図２９】発射装置の第２実施例の組立図。
【図３０】図２８のＸ−Ｘ断面図。
【図３１】図３０のＹ−Ｙ断面図。
【図３２】図３０のＺ矢視側面図。
【図３３】球搬送装置の正面図。
【図３４】図３３のＶ−Ｖ断面図。
【図３５】図３３のＷ−Ｗ端面図。
【図３６】図３３のＲ矢視側面図。
【図３７】図３３のＴ−Ｔ断面図。
【図３８】球磨き装置の説明図。
【図３９】通路構成が異なる弾球遊技機の正面図。
【図４０】払出装置の第２実施形態の説明図。
【図４１】球タンクの第２実施形態の平面図。
【図４２】球タンクの第２実施形態の左側面図。
【図４３】図４０のβ１矢視拡大図。
【図４４】図４３のＹ２−Ｙ２断面図。
【図４５】受皿部分の第２実施形態の平面説明図。
【図４６】受皿及び排出装置の第２実施形態の断面図。
【図４７】図４６のβ２矢視拡大図。
【図４８】受皿部分の第２実施形態の正面説明図。
【図４９】基板ケースまわり平面図。
【図５０】一部断面とした図４９の下面図。
【図５１】ロック機構の断面図。
【符号の説明】
【０１１９】
１    発射装置、１Ａ    第１ハウジング、１Ｂ    第２ハウジング
１Ｍ    発射ソレノイド、１Ｍｐ    プランジャ、１ＭＬ    ロッド
１Ｍａ    前部緩衝部材、１Ｍｂ    後部緩衝部材、
２    遊技盤、２０    ガイドレール、２Ｒ    ベース部材開口部、
３    払出装置、３０    球タンク、３４    払出通路、
４    受皿、４８２    スリット、４８３    捕集具、
５    排出装置
６    投入口
７    切替機構、７０    回収通路
８    球送出装置、８１    取込口、８２    回転移送体、８３    排出口、
８４    第２の排出口（返却口）、８５    球検出器、８６    第２の球検出器、
８７    返却通路、８２１    駆動モータ、８２２    移送路、
８２３    モータケース、８２４    片持ちスプリング
１１    球循環装置、１２    球送り装置、１７    球搬送装置（球揚送装置）
１１Ｆ    本体ケーシング、１１Ａ    第１主ケース（ベース）
１１Ｂ    展開機構、１１Ｃ    第２主ケース（カバー）
１７Ｓ    搬送スクリュー、１７Ｗ    球止壁、１７Ｃ    球磨き装置
１９Ａ    第１基板ケース、１９Ｂ    第２基板ケース、１９３    ロック機構
【図１】
2006297160.tif 000003
【図２】
2006297160.tif 000004
【図３】
2006297160.tif 000005
【図４】
2006297160.tif 000006
【図５】
2006297160.tif 000007
【図６】
2006297160.tif 000008
【図７】
2006297160.tif 000009
【図８】
2006297160.tif 000010
【図９】
2006297160.tif 000011
【図１０】
2006297160.tif 000012
【図１１】
2006297160.tif 000013
【図１２】
2006297160.tif 000014
【図１３】
2006297160.tif 000015
【図１４】
2006297160.tif 000016
【図１５】
2006297160.tif 000017
【図１６】
2006297160.tif 000018
【図１７】
2006297160.tif 000019
【図１８】
2006297160.tif 000020
【図１９】
2006297160.tif 000021
【図２０】
2006297160.tif 000022
【図２１】
2006297160.tif 000023
【図２２】
2006297160.tif 000024
【図２３】
2006297160.tif 000025
【図２４】
2006297160.tif 000026
【図２５】
2006297160.tif 000027
【図２６】
2006297160.tif 000028
【図２７】
2006297160.tif 000029
【図２８】
2006297160.tif 000030
【図２９】
2006297160.tif 000031
【図３０】
2006297160.tif 000032
【図３１】
2006297160.tif 000033
【図３２】
2006297160.tif 000034
【図３３】
2006297160.tif 000035
【図３４】
2006297160.tif 000036
【図３５】
2006297160.tif 000037
【図３６】
2006297160.tif 000038
【図３７】
2006297160.tif 000039
【図３８】
2006297160.tif 000040
【図３９】
2006297160.tif 000041
【図４０】
2006297160.tif 000042
【図４１】
2006297160.tif 000043
【図４２】
2006297160.tif 000044
【図４３】
2006297160.tif 000045
【図４４】
2006297160.tif 000046
【図４５】
2006297160.tif 000047
【図４６】
2006297160.tif 000048
【図４７】
2006297160.tif 000049
【図４８】
2006297160.tif 000050
【図４９】
2006297160.tif 000051
【図５０】
2006297160.tif 000052
【図５１】
2006297160.tif 000053